(57)【要約】【課題】電源供給ソケットの後方のスペースを活用する装置設計を提供する。【解決手段】スレッド、および第１の端部と第２の端部を有し、前記第１の端部に着脱可能な電源供給ソケットを更に含み、前記着脱可能な電源供給ソケットは、一の機構セットを介して前記コンピュータシャーシ外に移動されるように構成されるスライドレールブラケットを含み、前記着脱可能な電源供給ソケットが前記コンピュータシャーシ外に移動された後、前記スレッドはコンピュータシャーシから引き出されることができるコンピュータシャーシ。【選択図】図３Ａ
2020155093.tif 000002
【特許請求の範囲】
【請求項１】
スレッドを含むコンピュータシャーシであって、
第１の端部と第２の端部を有し、前記第１の端部に着脱可能な電源供給ソケットを更に含み、前記着脱可能な電源供給ソケットは、一の機構セットを介して前記コンピュータシャーシ外に移動されるように構成されるスライドレールブラケットを含み、
前記着脱可能な電源供給ソケットが前記コンピュータシャーシ外に移動された後、前記スレッドはコンピュータシャーシから引き出されることができるコンピュータシャーシ。
【請求項２】
前記機構セットは、回転要素および第１の弾性要素を更に含み、前記第１の弾性要素の取り付け位置は、前記電源供給ソケットを付勢して、前記スレッドから離れる方向に回転させることができる請求項１に記載のコンピュータシャーシ。
【請求項３】
前記回転要素は、前記第１の弾性要素に機械的に結合された軸を更に含む請求項２に記載のコンピュータシャーシ。
【請求項４】
前記スライドレールブラケットは、前記第２の端部にあるスライドリターンレバーを更に含む請求項１に記載のコンピュータシャーシ。
【請求項５】
前記スライドリターンレバーは、第２の弾性要素およびピボット機構を含む請求項４に記載のコンピュータシャーシ。
【請求項６】
前記スレッドの端縁が前記ピボット機構の中間点を通過したとき、取り外し位置への前記スレッドの移行は、前記ピボット機構に前記第２の弾性要素を取り外すようにさせる請求項５に記載のコンピュータシャーシ。
【請求項７】
前記第２の弾性要素の取り外しは、前記第２の弾性要素に力を加えさせ、前記スレッドを前記コンピュータシャーシ外に移動させる請求項６に記載のコンピュータシャーシ。
【請求項８】
前記スレッドの端縁が前記ピボット機構の中間点を通過したとき、取り付け位置への前記スレッドの移行は、前記ピボット機構に前記第２の弾性要素を取り付けるようにさせる請求項５に記載のコンピュータシャーシ。
【請求項９】
前記スレッドは、前記着脱可能な電源供給ソケットの近くに格納される請求項１に記載のコンピュータシャーシ。
【請求項１０】
前記スレッドと前記スライドレールブラケットの間にあり、少なくとも１つのケーブルを受けるように構成された開口を更に含む請求項１に記載のコンピュータシャーシ。
【発明の詳細な説明】
【技術分野】
【０００１】
本発明は、ケーブル配索および電源供給ソケット用の所定のスペースを有するシャーシ設計に関するものである。
【背景技術】
【０００２】
従来のコンピュータシャーシのスレッド（ｓｌｅｄ）には、より複雑且つ多様なコンピュータコンポーネントが必要であるため、コンピュータのスレッド上のスペースが非常に必要となる。従来のコンピュータシャーシは、複数のコンピュータコンポーネントを収容するスレッドを保持しており、これらのコンポーネントを動作させるために、コンピュータシャーシは、電力が供給されていなければならない。従って、電源供給ソケットと、コンピュータシャーシの一端に沿った任意のケーブル用に、スペースを作るために、従来のコンピュータシャーシは、より狭いスレッドを提供している。一般的には、電源供給ソケットの幅は、ソケットに接続されたケーブルより広い幅を有する。電源供給ソケットとケーブルとの間のこのような幅の違いは、コンピュータシャーシ内に、ケーブルの長さの方向と電源供給ソケットの後方に沿って、未使用スペースの間隙を生ずる。
【０００３】
また、従来のコンピュータのスレッドは、メンテナンス要件またはスレッドのコンポーネントを変更する必要があるため、その対応するシャーシからしばしば着脱される。スレッドの取り外しは、スレッドのさまざまなコンポーネントにケーブルが接続されているため、ユーザにとって複雑で時間がかかる場合がある。ユーザは、ケーブルを取り外し、スレッドを取り外し、コンピュータコンポーネントを交換し、ケーブルを再接続して、スレッドをシャーシに再び取り付ける必要がある。
【０００４】
従って、電源供給ソケットの後方のスペースを活用する装置の設計が必要である。
【先行技術文献】
【特許文献】
【０００５】
【特許文献１】特開２０１９−１４０３６７号公報
【発明の概要】
【発明が解決しようとする課題】
【０００６】
電源供給ソケットの後方のスペースを活用する装置設計を提供する。
【課題を解決するための手段】
【０００７】
本開示のさまざまな例は、スレッドおよびスライドレールブラケットを含むコンピュータシャーシに関するものである。スライドレールブラケットは、第１の端部と第２の端部を有することができ、第１の端部は着脱可能な電源供給ソケットを含む。着脱可能な電源供給ソケットは、一の機構セットを介してコンピュータシャーシ外に移動されるように構成されることができる。電源ソケットをコンピュータシャーシから取り外した後、スレッドはコンピュータシャーシから引き出されることができる。
【０００８】
いくつかの例では、一の機構セットは、回転要素および第１の弾性要素を含むことができる。第１の弾性要素の取り付け位置は、電源供給ソケットを付勢して、スレッドから離れる方向に回転させることができる。いくつかの例では、回転要素は、第１の弾性要素に機械的に結合された軸を含むことができる。電源供給ソケットは、シャーシ内に移動またはシャーシ外に移動するときに軸を中心に回転することができる。
【０００９】
いくつかの例では、スライドレールブラケットは、スライドリターンレバーを更に含むことができる。スライドリターンレバーは、第２の弾性要素およびピボット機構を含むことができる。スレッドの端縁がピボット機構の中間点を通過したとき、取り外し位置へのスレッドの移行は、ピボット機構に第２の弾性要素を取り外すようにさせることができる。対応する方法で、スレッドの端縁がピボット機構の中間点を通過したとき、取り付け位置へのスレッドの移行は、ピボット機構に第２の弾性要素を取り付けるようにさせることができる。
【００１０】
いくつかの例では、第２の弾性要素の取り外しは、第２の弾性要素にスレッドに力を加えさせることができるため、加えられた力はスレッドをコンピュータシャーシ外に移動させることができる。
【００１１】
いくつかの例では、スレッドは、着脱可能な電源供給ソケットの近くに格納されることができる。コンピュータシャーシは、スレッドとスライドレールブラケットの間にあり、ケーブルを受けるように構成された開口部を更に提供することができる。
【００１２】
いくつかの例では、スレッドは、取り付け位置と取り外し位置の間を移行するときに、スライドレールブラケットに沿ってスライドすることができる。スライドレールブラケットは、コンピュータシャーシの内縁に沿ってスライド可能に延伸するように構成されることができる。スライドレールブラケットは、第２の端縁に停止機構を含み、スレッドが取り付け位置と取り外し位置の間を移行するときにスレッドの端縁をキャッチするように構成されることができる。
【００１３】
上述した概要は、本開示の各実施形態又は全ての態様を表すことを意図するものではない。むしろ、上述した概要は、本明細書に記載された新規な態様及び特徴のいくつかの例を提供するに過ぎない。本開示の上述した特徴及び利点、並びに、他の特徴及び利点は、添付の図面及び添付の特許請求の範囲と関連して、本発明を実施するための代表的な実施形態及び態様についての以下の詳細な説明から容易に明らかとなるであろう。
【００１４】
添付の図面は、本発明の実施形態を例示し、説明とともに、本発明の原理を説明および例示するためのものである。図面は、例示的な実施形態の主要な特徴を図式的に示すことを意図している。図面は、実際の実施形態の全ての特徴または描かれた要素の相対的な寸法を描くことを意図しておらず、縮尺通りに描かれていない。
【図面の簡単な説明】
【００１５】
【図１】従来技術の従来のコンピュータシャーシを示している。
【図２】本開示の実施形態による、例示的なコンピュータシャーシを示している。
【図３Ａ】本開示の実施形態による、例示的なコンピュータシャーシの断面図を示している。
【図３Ｂ】本開示の実施形態による、例示的なスライドレールブラケットの端部の拡大図を示している。
【図４】本開示の実施形態による、取り外し位置に移行する例示的なコンピュータスレッドを示している。
【図５Ａ】本開示の実施形態による、取り外し位置から取り付け位置に移行する例示的なスライドレバーの機構を示している。
【図５Ｂ】本開示の実施形態による、取り外し位置から取り付け位置に移行する例示的なスライドレバーの機構を示している。
【図５Ｃ】本開示の実施形態による、取り外し位置から取り付け位置に移行する例示的なスライドレバーの機構を示している。
【図５Ｄ】本開示の実施形態による、取り付け位置から取り外し位置に移行する例示的な着脱可能な電源ソケットを示している。
【発明を実施するための形態】
【００１６】
添付の図面を参照しながら本発明を説明するが、同様の参照番号は全体を通して同様の、または同一の要素を示すのに用いられる。図面は、本発明を説明するためのものであり、縮尺通りに描かれるとは限らない。本発明のいくつかの態様では、説明のために、応用例を参照に以下に述べられる。多数の特定の詳細、関係、および方法が本発明の完全な理解を提供するために明記されていることは理解すべきである。しかしながら、当業者には、本発明は、これらの特定の詳細なしに、または他の方法を用いて行い得ることは容易に理解できるであろう。その他の実施形態において、従来公知の構造または操作は、本発明が曖昧にならないようにするため、詳述されていない。本発明は、描かれた動作またはイベントの順序に限定されるものではなく、いくつかの動作は、異なる順序および／またはその他の動作またはイベントと同時に起こり得る。また、全ての描かれた動作またはイベントにより本発明に基づいた方法を実現する必要があるわけではない。
【００１７】
本開示は、スレッドおよびスライドレールブラケットを含むコンピュータシャーシの設計を提供する。スライドレールブラケットは、第１の端部に着脱可能な電源供給ソケット、および第２の端部にスライドリターンレバーを含むことができる。スレッドがコンピュータシャーシから取り外されるとき、着脱可能な電源供給ソケットが一の機構セットを介してシャーシから取り出されることができる。一の機構セットは、電源供給ソケットをシャーシから出るように自動的に回転させる弾性要素を含むことができる。電源供給ソケットのこの自動移動は、スレッドが電源供給ソケットの後方に延伸するような形状であっても、スレッドをシャーシから簡単に引き出すようにすることができる。従って、本開示は、電源供給ソケットの後方に延伸形状を有するスレッドのオプションを提供する。この開示されたコンピュータシャーシの設計は、（１）スレッドの使用可能なスペースの増加、および（２）コンピュータシャーシのスレッドの取り付けと取り外しの容易さの両方を提供する。使用可能なスペースの量の増加は、例えば、デュアルインラインメモリモジュールなど、より多くの電子コンポーネントを保持するように用いられることができる。
【００１８】
図１は、従来技術による、従来のコンピュータシャーシ１００を示している。シャーシ１００は、スレッド１１０、電源供給ソケット１２０、ケーブル配索部（ｃａｂｌｅ ｒｏｕｔｉｎｇ ｐｏｒｔｉｏｎ）１３０、およびシャーシ本体１４０を含むことができる。スレッド１１０は、コンピュータコンポーネント（図示せず）を収容することができる。電源供給ソケット１２０は、ケーブル配索部１３０からケーブルを受けて、スレッド１１０内のコンポーネントに電力を供給することができる。
【００１９】
従来のシャーシ１００では、スレッド１１０は、シャーシ本体１４０の大部分のスペースを占めるが、スレッド１１０は、電源供給ソケット１２０とケーブル配索部１３０用にシャーシ本体１４０に十分なスペースを残すように狭く設計されている。従来のシャーシ１００では、スレッド１１０は、シャーシ本体１４０内に、およびシャーシ本体１４０外にスライドすることができ、且つスレッド１１０は、電源供給ソケット１２０と重ならないようなサイズに設計されている。従って、スレッド１１０がシャーシ本体１４０に取り付けられる、またはシャーシ本体１４０から取り外されるとき、電源供給ソケット１２０はシャーシ１００内の所定の位置に留まっている。
【００２０】
一般的に、電源供給ソケット１２０は、ケーブル配索部１３０では電源供給ソケット１２０に接続するケーブルよりも幅が広い。そのような設計は、図１に示されるように、シャーシ本体１４０内に、スレッド１１０に用いられず、且つ任意のコンピュータコンポーネントを含まない空きスペース１４０ａが生じる。従って、空きスペース１４０ａは、従来のシャーシ本体１４０に提供された領域の有効利用を提供しない。
【００２１】
図１に示される従来のコンピュータシャーシのスペース制限に応じて、本開示は、スペース１４０ａを利用する例示的なコンピュータシャーシを提供する。図２は、本開示の実施形態による例示的なコンピュータシャーシ２００を示している。シャーシ２００は、スレッド２１０、凹部２１２、延伸スペース２１４、着脱可能な電源供給ソケット２２０、ケーブル配索部２３０、およびシャーシ本体２４０を含む。
【００２２】
スレッド２１０は、コンピュータコンポーネントを収容し、シャーシ本体２４０内に受けられ、且つシャーシ本体２４０内のスペースをケーブル配索部２３０に用いることができる。電源供給ソケット１２０は、ケーブル配索部１３０からケーブルを受けて、スレッド１１０内のコンポーネントに電力を供給することができる。スレッド２１０は、スレッド２１０が凹部２１２および延伸スペース２１４を含むため、従来のスレッド１１０（図１の）とは異なる設計を提供する。凹部２１２は、スレッド２１０が着脱可能な電源供給ソケット２２０を越えて延伸するようにし、追加のコンポーネントが収容されることができる延伸スペース２１４をスレッド２１０に提供する。従って、スレッド２１０は、図１に示される従来のスレッド１１０よりも大きい、コンピュータコンポーネントを収容する領域を提供する。着脱可能な電源供給ソケット２２０は、図３Ａ〜図５Ｄを参照して後述する機構に従って、シャーシ本体１４０内に、およびシャーシ本体１４０外に自動的に移動するように構成することができる。
【００２３】
図３Ａ〜図５Ｄは、本開示の様々な実施形態による、図２のコンピュータシャーシのさまざまな位置の断面図を示している。図３Ａ〜図５Ｄは、図２と同様のさまざまなコンポーネントとラベルを含むことができる。また、図３Ａ〜図５Ｄは、スライドレールブラケット３１０、スライドリターンレバー３２０、一の機構セット３３０、停止機構３４０を示している。スライドリターンレバー３２０は、弾性要素４１０およびピボット機構４２０を含むことができ、一の機構セット３３０は、弾性要素４３０および回転要素４４０を含むことができる。
【００２４】
図３Ａは、着脱可能な電源供給ソケット２２０がシャーシ本体２４０内に完全に受けられる、開示されたシャーシの完全取り付け位置（ｅｎｔｉｒｅｌｙ−ｌｏａｄｅｄ ｐｏｓｉｔｉｏｎ）３００Ａを示している。図２の開示されたシャーシは、シャーシ本体２４０の内縁２４０ａに沿ってスライドレールブラケット３１０を含むことができる。スレッド２１０は、シャーシ本体２４０内に取り付け、および本体外に取り外しするときに、スライドレールブラケット３１０に沿ってスライドすることができる。スライドレールブラケット３１０は、スライドレールブラケット３１０の第１の端部３１０ａに配置された一の機構セット３３０を介して着脱可能な電源供給ソケット２２０に結合されることもできる（図３Ｂで更に議論される）。スライドレールブラケット３１０の第２の端部３１０ｂは、停止機構３４０を提供することができる（図５Ｄで更に議論される）。
【００２５】
最後に、スライドレールブラケット３１０は、スライドレールブラケット３１０の長さに沿ってスライドリターンレバー３２０を含むことができる（図３Ｂで更に議論される）。スライドリターンレバー３２０は、シャーシ本体２４０内に固定することができ、スレッド２１０の動きがスライドリターンレバー３２０を動かすことがなくなる。本開示のいくつかの例では、スライドリターンレバー３２０は、スライドレールブラケット３１０の第２の端部３１０ｂからの特定の距離３２０ａに固定することができる。特定の距離３２０ａは、着脱可能な電源供給ソケット２２０の長さとすることができる。
【００２６】
図３Ｂは、スレッド２１０がシャーシ本体２４０から取り外され、着脱可能な電源供給ソケット２２０がシャーシ本体２４０の完全に外部に位置するようになる、開示されたシャーシの部分取り外し位置３００Ｂ（ｐａｒｔｉａｌｌｙ−ｕｎｌｏａｄｅｄ ｐｏｓｉｔｉｏｎ）を示している。着脱可能な電源供給ソケット２２０がシャーシ本体２４０の外側にあるとき、スレッド２１０の後縁２１０ａは、スライドリターンレバー３２０と係合する。
【００２７】
図３Ｂは、弾性要素４１０およびピボット機構４２０を含むスライドリターンレバー３２０の拡大図を更に示している。ピボット機構４２０は、シャーシ本体２４０に取り付けられるときにスレッド２１０を受ける第１の部分４２０ａを有することができる。ピボット機構の第２の部分４２０ｂは、弾性要素４１０に結合されることができる。図５Ａを一時的に参照すると、 スライドリターンレバー３２０は、第１の部分４２０ａがシャーシ本体２４０に取り付けられるときに、スレッド２１０を受けると、第１の部分４２０ａが弾性要素４１０に向かって移動できるように構成されることができる。第１の部分４２０ａの動きは、弾性要素４１０から離れるように第２の部分４２０ｂを旋回させ、これにより弾性要素４１０に負荷を与えることができる。弾性要素は、例えば、引張りばねであることができる。もう１つの例では、弾性要素４１０は、スレッド２１０がシャーシ本体２４０に取り付けられるときに取り付けられるように構成された任意のエラストマーであることができる。
【００２８】
再度図３Ｂに示されるように、機構セット３３０は、弾性要素４３０および回転要素４４０を含むことができる。回転要素４４０は、弾性要素４３０の一部が貫通するジョイント（ｊｏｉｎｔ）であることができる。弾性要素４３０は、着脱可能な電源供給ソケット２２０の長さに沿って延伸する第１の部分４３０ａ、および着脱可能な電源供給ソケット２２０の本体に向かって延伸する第２の部分４３０ｂを有することができる。弾性要素４３０は取り外し位置にあり、着脱可能な電源供給ソケット２２０は、弾性要素４３０の弾性力により、スレッド２１０から離れる方向に回転するように構成される。弾性要素４３０は、電源供給ソケット２２０がスレッド２１０に向かって回転されたとき（例えば、ユーザがスレッド２１０をシャーシ本体２４０に取り付けているとき）に取り付けられることができる。例えば、弾性要素４３０は、圧縮ばねであることができる。もう１つの例では、弾性要素４３０は、電源供給ソケット２２０がスレッド２１０に向かって回転されたときに取り付けられるように構成された任意のエラストマーであることができる。
【００２９】
図４は、スレッド２１０がシャーシ本体２４０の取り付け位置から取り外し位置に移行する例示的なコンピュータスレッドの移行４００を示している。スレッド２１０がシャーシ本体２４０から引き出されたとき、弾性要素４１０は、ピボット機構４２０の第１の部分４２０ａを付勢して、スレッド２１０に向かってスライドレールブラケット３１０から離れる方向に回転させる。スレッド２１０の後縁２１０ａがピボット機構４２０の中間点４２０ｃを通過したとき、弾性要素４１０は、取り外されることができ、スライドレールブラケット３１０に沿って、スレッド２１０をシャーシ本体３４０外に移動させる力を加えることができる。電源供給ソケット２２０がシャーシ本体２４０の外にあるとき、弾性要素４３０は電源供給ソケット２２０に力を加え、電源供給ソケット２２０をシャーシ本体２４０から離れる方向に回転させる。従って、弾性要素４１０および４３０は、スレッド２１０をシャーシ本体２４０から自動的に取り外すことに寄与することができる。
【００３０】
図５Ａは、スレッド２１０が取り外し位置から取り付け位置に移行する例示的なコンピュータスレッドの移行５００Ａを示している。図３Ｂに関して上述したように、スレッド２１０がシャーシ本体に取り付けられたとき、ピボット機構４２０の第１の部分４２０ａは、スライドレールブラケット３１０に向かって押されることができる。
【００３１】
図５Ｂは、例示的なコンピュータスレッドの移行５００Ｂを示している。移行５００Ｂは、移行５００Ａの後に続く。その中のスレッド２１０は、ピボット機構４２０のちょうど中間点４２０ｃを通過して押される。従って、スレッド２１０がシャーシ本体２４０に取り付けられたとき、弾性要素４１０が取り付けられる。着脱可能な電源供給ソケット２２０は、スレッド２１０がシャーシ本体２４０に取り付けられたとき、コンピュータスレッド２１０に向かって回転されることができる。
【００３２】
図５Ｃは、スレッド２１０がシャーシ本体２４０に完全に取り付けられている例示的なコンピュータスレッドの移行５００Ｃを示している。移行５００Ｃは、移行５００Ｂの後に生じることができる。弾性要素４３０は、シャーシ本体２４０の内縁２４０ａに対して圧縮されている。
【００３３】
図５Ｄは、停止機構３４０が、どのように十分な長さを有して、スライドレールブラケット３１０からスレッド２１０に延伸するかを示している。停止機構３４０は、スレッド２１０がシャーシ本体２４０に取り付けられたときに、スレッド２１０の後縁２１０ａを受けることができる。従って、シャーシ本体２４０へのスレッド２１０の取り付けは、スライドレールブラケット３１０をシャーシ本体２４０の内縁２４０ａに沿ってスライド可能に延伸させることができる。
【００３４】
要約すると、図５Ａ〜図５Ｄは、スライドリターンレバー３２０および機構セット３３０が、電源供給ソケットからの干渉なしに、コンピュータスレッドを取り付け、および取り外しする装置を提供することを示している。これにより、開示されたシャーシは、従来のシャーシ設計では通常使用されない電源供給ソケットの後方のスペースを用いることができるようになる。
【００３５】
本発明の様々な実施形態について上述したが、それらは限定ではなく例として提示されたものであることを理解されたい。本発明の趣旨又は範囲から逸脱することなく、開示された実施形態に対する多数の変更を、本明細書の開示に従って行うことができる。従って、本発明の幅及び範囲は、上記の実施形態の何れかによって限定されるべきではない。むしろ、本発明の範囲は、添付の特許請求の範囲及びその均等物に従って定義されるべきである。
【００３６】
本発明を１つ以上の実施形態に関して詳細に述べてきたが、本明細書および図式を読み理解する際に他の当業者により等価な修正および変更が生じ得る。また、本発明の特定の特徴は、複数の実施法案の１つだけに関連して述べられているが、このような特徴は、付与の、または特定の応用に必要で利点がある１つ以上の他の実施法案の他の特徴と組み合わせられてもよい。
【００３７】
本明細書で使用する用語は、特定の実施形態のみを説明するものであって、本発明を限定するものではない。本明細書では、単数形の「一つの（ａ）」、「一つの（ａｎ）」及び「その（ｔｈｅ）」は、文脈によって他の明確な指示がされない限り、複数形も含む。さらに、「含む」、「有する」又はこれらの変形は、詳細な説明及び／又は特許請求の範囲で使用される限りにおいて、「備える」という用語と同様に包括的であることが意図される。
【００３８】
特に定義されない限り、本明細書で使用される全ての用語（技術的及び科学的用語を含む）は、当業者によって一般的に理解されるのと同じ意味を有する。さらに、一般的に使用される辞書に定義されているような用語は、関連技術の文脈における意味と一致する意味を有するものと解釈されるべきであり、本明細書で明示的に定義されていない限り、理想化された又は過度に形式的な意味で解釈されない。
【符号の説明】
【００３９】
１００、２００  コンピュータシャーシ
１１０、２１０  スレッド
１２０  電源供給ソケット
１３０、２３０  ケーブル配索部
１４０、２４０  シャーシ本体
１４０ａ  スペース
２１０ａ  後縁
２１２  凹部
２１４  延伸スペース
２２０  （着脱可能な）電源供給ソケット
２３０  ケーブル配索部
２４０  シャーシ本体
２４０ａ  内縁
３００Ａ  完全取り付け位置
３００Ｂ  部分取り付け位置
３１０  スライドレールブラケット
３１０ａ  第１の端部
３１０ｂ  第２の端部
３２０  スライドリターンレバー
３２０ａ  特定の距離
３３０  機構セット
３４０  停止機構
４００、５００Ａ、５００Ｂ、５００Ｃ  コンピュータスレッドの移行
４１０、４３０  弾性要素
４２０  ピボット機構
４２０ａ、４３０ａ  第１の部分
４２０ｂ、４３０ｂ  第２の部分
４２０ｃ  中間点
４４０  回転要素 
【図１】
2020155093.tif 000003
【図２】
2020155093.tif 000004
【図３Ａ】
2020155093.tif 000005
【図３Ｂ】
2020155093.tif 000006
【図４】
2020155093.tif 000007
【図５Ａ】
2020155093.tif 000008
【図５Ｂ】
2020155093.tif 000009
【図５Ｃ】
2020155093.tif 000010
【図５Ｄ】
2020155093.tif 000011